【手続補正書】
【提出日】平成18年5月8日(2006.5.8)
【手続補正１】
【補正対象書類名】明細書
【補正対象項目名】特許請求の範囲
【補正方法】変更
【補正の内容】
【特許請求の範囲】
【請求項１】  取得したデータを一旦メモリに書き込んだ後、記録媒体に転送することで、前記データを記録するデータ記録装置において、
前記記録媒体に転送されるデータの記録速度を検出するデータ記録速度検出手段と、
前記データ記録装置に電力を供給する電源の残量を検出する電源残量検出手段と、
前記電源の残量を基に、前記データ記録装置の駆動可能時間を検出する駆動可能時間検出手段と、
前記データ記録速度および前記駆動可能時間を基に、前記記録媒体に記録可能なデータ量を算出する記録可能データ量算出手段と、
前記記録可能なデータ量を基に、前記メモリの書き込みサイズを変更する書き込みサイズ変更手段とを備えたことを特徴とするデータ記録装置。
【請求項２】  前記取得したデータの量を検出する取得データ量検出手段と、該検出されたデータの量が前記変更されたメモリの書き込みサイズより大きい場合、前記データ記録装置の記録動作を制限する制限手段とを備えたことを特徴とする請求項１記載のデータ記録装置。
【請求項３】  前記データ記録速度検出手段は、前記記録媒体内の性能情報記憶部に記録されている性能情報から前記データ記録速度に関する情報を取得して検出することを特徴とする請求項１または２記載のデータ記録装置。
【請求項４】  前記データ記録速度検出手段は、所定量の基準データを前記記録媒体に書き込む書込手段と、前記基準データが書き込まれる時間を測定するタイマとを備え、前記基準データ量と前記タイマで測定された時間とから、前記記録媒体のデータ記録速度を算出することを特徴とする請求項１または２記載のデータ記録装置。
【請求項５】  前記データ記録速度検出手段は、タイマを備え、前記データ記録装置が前記記録媒体にデータを記録している時間を測定することで、前記データ記録速度を検出することを特徴とする請求項１または２記載のデータ記録装置。
【請求項６】  前記データ記録速度検出手段は、請求項３、４および５で検出されたデータ記録速度のうち、最も遅い値を前記データ記録速度とすることを特徴とするデータ記録装置。
【請求項７】  前記データ記録速度検出手段を、前記データ記録装置の起動時に動作させることを特徴とする請求項３乃至６のいずれかに記載のデータ記録装置。
【請求項８】  前記データ記録速度検出手段を、前記記録媒体の認識時に動作させることを特徴とする請求項３乃至６のいずれかに記載のデータ記録装置。
【請求項９】  前記データ記録速度検出手段を、前記データ記録装置の負荷が所定状態より軽い時に動作させることを特徴とする請求項３乃至６のいずれかに記載のデータ記録装置。
【請求項１０】  前記データ記録速度検出手段は、前記データ記録速度を記録する回路を有し、前記データ記録装置の起動時に記憶されていたデータ記録速度を前記データ記録速度とすることを特徴とする請求項３乃至６のいずれかに記載のデータ記録装置。
【請求項１１】  前記データ記録速度検出手段は、前記検出されたデータ記録速度を前記記録媒体に関する情報と対応付けて記憶し、前記記録媒体の認識時にデータ記録速度検出済みの記録媒体である場合、前記記録されていたデータ記録速度を前記記録媒体のデータ記録速度とすることを特徴とする請求項３乃至６のいずれかに記載のデータ記録装置。
【請求項１２】  前記取得したデータは、静止画像データであることを特徴とする請求項１または２記載のデータ記録装置。
【請求項１３】  前記取得したデータは、動画像データであることを特徴とする請求項１または２記載のデータ記録装置。
【請求項１４】  前記取得したデータは、音声データであることを特徴とする請求項１または２記載のデータ記録装置。
【請求項１５】  取得したデータを一旦メモリに書き込んだ後、記録媒体に転送することで、前記データを記録するデータ記録方法において、前記記録媒体に転送されるデータの記録速度を検出するデータ記録速度検出ステップと、前記データ記録装置に電力を供給する電源の残量を検出する電源残量検出ステップと、前記電源の残量を基に、前記データ記録装置の駆動可能時間を検出する駆動可能時間検出ステップと、前記データ記録速度および前記駆動可能時間を基に、前記記録媒体に記録可能なデータ量を算出する記録可能データ量算出ステップと、前記記録可能なデータ量を基に、前記メモリの書き込みサイズを変更する書き込みサイズ変更ステップとを有することを特徴とするデータ記録方法。
【請求項１６】  データ記録装置内のコンピュータによって実行され、取得したデータを一旦メモリに書き込んだ後、記録媒体に転送することで、前記データを記録するためのプログラムであって、前記記録媒体に転送されるデータの記録速度を検出するデータ記録速度検出ステップと、前記データ記録装置に電力を供給する電源の残量を検出する電源残量検出ステップと、前記電源の残量を基に、前記データ記録装置の駆動可能時間を検出する駆動可能時間検出ステップと、前記データ記録速度および前記駆動可能時間を基に、前記記録媒体に記録可能なデータ量を算出する記録可能データ量算出ステップと、前記記録可能なデータ量を基に、前記メモリの書き込みサイズを変更する書き込みサイズ変更ステップとを含むことを特徴とするプログラム。
【請求項１７】  請求項１６に記載のプログラムが記憶されたことを特徴とする記憶媒体。
【手続補正２】
【補正対象書類名】明細書
【補正対象項目名】０１２３
【補正方法】削除
【補正の内容】
【手続補正３】
【補正対象書類名】明細書
【補正対象項目名】０１２４
【補正方法】削除
【補正の内容】
【手続補正４】
【補正対象書類名】明細書
【補正対象項目名】０１２５
【補正方法】削除
【補正の内容】
【手続補正５】
【補正対象書類名】明細書
【補正対象項目名】０１２６
【補正方法】削除
【補正の内容】
【手続補正６】
【補正対象書類名】明細書
【補正対象項目名】０１２７
【補正方法】削除
【補正の内容】
【手続補正７】
【補正対象書類名】明細書
【補正対象項目名】０１２８
【補正方法】削除
【補正の内容】
【手続補正８】
【補正対象書類名】明細書
【補正対象項目名】０１２９
【補正方法】削除
【補正の内容】
【手続補正９】
【補正対象書類名】明細書
【補正対象項目名】０１３０
【補正方法】削除
【補正の内容】
【手続補正１０】
【補正対象書類名】明細書
【補正対象項目名】０１３１
【補正方法】削除
【補正の内容】
【手続補正１１】
【補正対象書類名】明細書
【補正対象項目名】０１３２
【補正方法】削除
【補正の内容】
【手続補正１２】
【補正対象書類名】明細書
【補正対象項目名】０１３３
【補正方法】削除
【補正の内容】
【手続補正１３】
【補正対象書類名】明細書
【補正対象項目名】０１３４
【補正方法】削除
【補正の内容】
【手続補正１４】
【補正対象書類名】明細書
【補正対象項目名】０１３５
【補正方法】削除
【補正の内容】
【手続補正１５】
【補正対象書類名】明細書
【補正対象項目名】０１３６
【補正方法】削除
【補正の内容】
【手続補正１６】
【補正対象書類名】明細書
【補正対象項目名】０１３７
【補正方法】削除
【補正の内容】
【手続補正１７】
【補正対象書類名】明細書
【補正対象項目名】０１３８
【補正方法】削除
【補正の内容】
【手続補正１８】
【補正対象書類名】明細書
【補正対象項目名】０１３９
【補正方法】削除
【補正の内容】
【手続補正１９】
【補正対象書類名】明細書
【補正対象項目名】０１４０
【補正方法】削除
【補正の内容】